(57)【要約】【課題】安全かつ均等に配布され、コストダウン及び電気節約ができる外転型モーターの固定子構造の改良を提供する。【解決手段】本体は、シリコン鋼の台座１の上で四組の起動コイル及び四組の作動コイルが組み合わされている。シリコン鋼の台座１には複数個の絶縁柱１２及び槽口１４が設けられ、各絶縁柱１２の前端にある高さの塀１３が形成されている。起動コイルは、シリコン鋼の台座１の軸心の両側と対応し、別々に等長距離である二つの槽口１４を一組のコイルの巻線に提供する。各コイルを巻いてから、二組のコイルと交叉コイルの形を呈することによって、四組の作動コイルがシリコン鋼の台座１の内側に完成する。シリコン鋼の台座１の軸心の上下と等長距離である二つの槽口１４を一組の作動コイルの巻線とし、各作動コイルが二組のコイルと交叉コイルの形に形成される。【選択図】図１
0003134309.tif 000002
【実用新案登録請求の範囲】
【請求項１】
本体は、シリコン鋼の台座の上で四組の起動コイル及び四組の作動コイルによって組み合わされ、シリコン鋼の台座には複数個の絶縁柱及び槽口が設けられ、各絶縁柱の前端にある高さの塀が形成され、その中の起動コイルはシリコン鋼の台座の軸心の両側と対応し、別々に等長距離である二つの槽口を一組のコイルの巻線に提供し、各コイルを巻いてから、二組のコイルと交叉コイルの形を呈することによって、四組の作動コイルがシリコン鋼の台座の内側に完成され、シリコン鋼の台座の軸心の上下と等長距離である二つの槽口を一組の作動コイルの巻線とし、各作動コイルが二組のコイルと交叉コイルの形に形成され、上下四組の作動コイルかつ起動コイルの外側を覆い、起動コイル及び作動コイルが均等にシリコン鋼の台座の塀の内側に配置されることによって、塀に隔離保護され、ローターの中に直接置かれ、安全、均等、コイル節約、コストダウン及び電気節約の目的を達成することを特徴とする外転型モーターの固定子構造。
【請求項２】
四組の起動コイルは、シリコン鋼の台座の軸心の基準点の傍らが第一槽口から入り、第五槽口から出て、第二槽口から入り、第六槽口から出て、第十一槽口から入り、第七槽口から出て、第十二槽口から入り、第八槽口から出ることを特徴とする請求項１記載の外転型モーターの固定子構造。
【請求項３】
四組の起動コイルは、第四槽口から入り、第八槽口から出て、第五槽口から入り、第九槽口から出て、第二槽口から入り、第十槽口から出て、第三槽口から入り、第十一槽口から出ることを特徴とする請求項１記載の外転型モーターの固定子構造。
【請求項４】
四組の起動コイルの線巻きは、右回りであることを特徴とする請求項１記載の外転型モーターの固定子構造。
【請求項５】
四組の作動コイルの線巻きは、左回りであることを特徴とする請求項１記載の外転型モーターの固定子構造。
【請求項６】
ローターは、十七槽或いは二十二槽の構造と配合した方が良いことを特徴とする請求項１記載の外転型モーターの固定子構造。
【考案の詳細な説明】
【技術分野】
【０００１】
本考案は、一種の巻線作業を急速完成させ、及び抵抗エナメルコイルの数量を節約し、そして、安全かつ均等に配布される外転型モーターの固定子構造の改良である。
【背景技術】
【０００２】
伝統のモーターに使用されているエナメルコイルの巻線方式は、複雑で、固定子のシリコン鋼の芯の面積が充分でないと、コイルが入れないので、加工製造者の便宜を図るために、固定子のシリコン鋼の芯の面積を大きくしている。かつ線巻きの設計不良のために、生産過程において、いくつかのプロセスのステップが増える。
【０００３】
また、伝統的な固定子は、シリコン鋼の台座の上で六組の起動コイル及び六組の作動コイルによって組み合わされている。製造過程において、コイルが多いので、シリコン鋼の台座の体積が大きくなるだけではなく、コイルコストも相対的に増加し、また、プロセスのステップが多いために、完成時間も相対的に遅くなる。また、その案のエンベデッドポールの高度は、全てのコイル巻き後の高度より低いので、コイル巻き後が暴露状態になりやすく、コイルの隔離保護効果がないために、作動効率は外在素因に影響されやすい。
【考案の開示】
【考案が解決しようとする課題】
【０００４】
本考案の主な目的は、一種の巻線作業を急速完成させ、及び抵抗エナメルコイルの数量を節約し、そして、安全かつ均等に配布される外転型モーターの固定子構造の改良を提供する。
【課題を解決するための手段】
【０００５】
本考案は、一種の外転型モーターの固定子構造の改良であって、本体はシリコン鋼の台座の上で四組の起動コイル及び四組の作動コイルによって組み合わされ、シリコン鋼の台座には複数個の絶縁柱及び槽口を設け、各絶縁柱の前端にある高さの塀を形成し、その中の起動コイルは軸心孔の基準点の両側に位置し、別々に等長距離である二つの槽口を一組のコイルの巻線に提供し、各コイルを巻いてから、二組のコイルと交叉コイルの形を呈することによって、四組の作動コイルをシリコン鋼の台座の内側に完成させる。もう一つの基準点の上下も等長距離である二つの槽口を一組の作動コイルの巻線とし、また、各作動コイルを二組のコイルと交叉コイルの形に形成させ、上下四組の作動コイルかつ起動コイルの外側を覆い、二つの井の字形を形成することによって、起動コイル及び作動コイルを均等にシリコン鋼の台座の塀の内側に配置することによって、絶縁柱の塀に隔離保護され、安全、均等、抵抗エナメルコイル節約、コストダウン及び電気節約の目的を達成する。
【考案を実施するための最良の形態】
【０００６】
図１に示すように、本考案の一実施例による外転型モーターの固定子構造の改良は、シリコン鋼の台座１に四組の起動コイル２及び四組の作動コイル３を巻いて組み合わせ、その中のシリコン鋼の台座１の中央に軸心孔１０を設け、軸心孔１０の上端に基準点１１を形成し、外縁側に偶数個の絶縁柱１２を設け、絶縁柱１２の前端にある高さの塀１３が延伸し、各絶縁柱１２の間に槽口１４を形成し、槽口の数量は絶縁柱１２と同じである（図２に示す）。
【０００７】
次は、図３に示すように、本実施例は、起動コイル２巻きの流れ及び方式であって、まず抵抗エナメルコイルの頭部の線を一番近い基準点１１の槽口Ａから巻き入れ、特定距離の槽口Ｅから巻き出すと、第一組の起動コイル２の線巻きが完成し、続いて、槽口Ａから右回り方向の隣にある槽口Ｂから巻き入れ、第一組の起動コイルの二つの槽口距離が同じで隣にある槽口Ｆから巻き出し、第二組の起動コイルを完成させ、この二組の起動コイルは右回り巻き方向で抵抗エナメルコイル巻きを完成し、巻き完成後は交叉コイルの形を呈する（図４に示す）。
【０００８】
続いて、シリコン鋼の台座１を１８０度回転させ、抵抗エナメルコイルを基準点１１の他側に進入させ、槽口Ａと平行対応の槽口Ｋ及び槽口Ｅと平行対応の槽口Ｇをコイル巻き入れと巻き出る槽口とし、左回り巻き方向でコイルを巻いてから、隣の二つの槽口Ｌと槽口Ｈへ移行し、同じ左回り巻き方向でコイルを巻き、二組の起動コイルと交叉コイルの形を呈することによって、四組の起動コイルが二つの交叉コイルの形を形成させる（図５と図６に示す）。
【０００９】
図７に示すように、四組の起動コイル２を完成後、抵抗エナメルコイルで軸心を巻いてから、予め延伸コイル４を残し、線端で別の四組の作動コイル３巻きを行い、作動コイル３は抵抗エナメルコイル２をまず槽口Ｈから巻き出たコイル線端を槽口Ｄに巻き入れ、第一組の作動コイル３巻きを完成してから、対応隣辺の槽口Ｅから巻き入れ、隣辺の槽口Ｉから巻き出て、第二組の作動コイル３を構成し、かつこの二組の作動コイルも交叉コイルの形を呈する（図８及び図９に示す）。槽口Ｉから巻き出た線端を槽口Ｂから巻き入れ、槽口Ｊから巻き出し、コイルを巻いてから、第三組の作動コイル３を完成させ、その第四組の作動コイル３は槽口Ｊから巻き出た線端を右回り方向の隣にある槽口Ｃから巻き入れ、槽口Ｋから巻き出し、コイルを巻いてから、第四組の作動コイル３を完成させ、二組の起動コイルが交叉コイルの形を呈し、四組の作動コイル３が二つの交叉コイルを形成し、起動コイル２の外側を覆うことによって、起動コイル２及び作動コイル３を均等にシリコン鋼の台座の塀の中に設け、シリコン鋼の台座の塀１３に隔離と保護されることより、安全、均等、コイル節約、コストダウン及び電気節約の目的を達成する（図１０及び図１１に示す）。また、完成後の固定子をローター５の中に結合させる（図１２に示す）。
【図面の簡単な説明】
【００１０】
【図１】本考案の一実施例による外転型モーターの固定子構造の改良のシリコン鋼の台座を示す斜視図である。
【図２】本考案の一実施例による外転型モーターの固定子構造の改良のシリコン鋼の台座を示す平面図である。
【図３】本考案の一実施例による外転型モーターの固定子構造の改良の第一組の起動コイル巻きを示す模式図である。
【図４】本考案の一実施例による外転型モーターの固定子構造の改良の第二組の起動コイル巻きを示す模式図である。
【図５】本考案の一実施例による外転型モーターの固定子構造の改良の第三組の起動コイル巻きを示す模式図である。
【図６】本考案の一実施例による外転型モーターの固定子構造の改良の第四組の起動コイル巻きを示す模式図である。
【図７】本考案の一実施例による外転型モーターの固定子構造の改良の延伸コイルを示す模式図である。
【図８】本考案の一実施例による外転型モーターの固定子構造の改良の第一組の作動コイル巻きを示す模式図である。
【図９】本考案の一実施例による外転型モーターの固定子構造の改良の第二組の作動コイル巻きを示す模式図である。
【図１０】本考案の一実施例による外転型モーターの固定子構造の改良の第三組の作動コイル巻きを示す模式図である。
【図１１】本考案の一実施例による外転型モーターの固定子構造の改良の第四組の作動コイル巻きを示す模式図である。
【図１２】本考案の一実施例による外転型モーターの固定子構造の改良の固定子とローターの組み合わせを示す平面図である。
【符号の説明】
【００１１】
１：シリコン鋼の台座、２：起動コイル、３：起動コイル、４：延伸コイル、５：ローター、１０：軸心孔、１１：基準点、１２：絶縁柱、１３：塀、１４：槽口
【図１】
0003134309.tif 000003
【図２】
0003134309.tif 000004
【図３】
0003134309.tif 000005
【図４】
0003134309.tif 000006
【図５】
0003134309.tif 000007
【図６】
0003134309.tif 000008
【図７】
0003134309.tif 000009
【図８】
0003134309.tif 000010
【図９】
0003134309.tif 000011
【図１０】
0003134309.tif 000012
【図１１】
0003134309.tif 000013
【図１２】
0003134309.tif 000014